(57)【特許請求の範囲】
【請求項１】
底部に吐出口を有する容器本体の内部に吐出口側の定量室とその上方の液溜室とを区画するシャッターリングを設けると共に、容器本体の底部の前記吐出口に、上下動自在に嵌合し吐出口の下方に突出するプッシュロッドに連動して上下動する開閉部材を設けると共に、前記シャッターリングに、前記プッシュロッド及び開閉部材に連動して上下動自在に嵌合し前記開閉部材が吐出口を開口する上方開口位置と吐出口を閉鎖する下方閉口位置の間で上下動するシャッター部材を設け、該シャッター部材に、前記開閉部材が吐出口を閉鎖する下方閉口位置で液溜室と定量室を連通し定量室に液溜室の内容液を充填すると共に、プッシュロッドにより開閉部材が上動し吐出口を開口する上方開口位置の手前の位置で液溜室と定量室を遮断して定量室の定量を完了する連絡路を設けてなるプッシュロッド式定量吐出容器において、シャッターリングとシャッター部材との間に復帰ばねを設け、開閉部材が不使用時は下方閉口位置に位置して吐出口を閉鎖すると共にプッシュロッドが吐出口から外方にばね弾力を受けて突出するように構成する一方、プッシュロッドの先端を滴下位置に当接させて復帰ばねのばね弾力に抗して前記開閉部材を上方開口位置に押し込んで開口すると吐出口から滴下位置の間においてプッシュロッドの周囲に定量の内容液を導く流路が形成されることからなるプッシュロッド式定量吐出容器。
【発明の詳細な説明】
【０００１】
【産業上の利用分野】
本発明は、容器底部の吐出口から突出したプッシュロッドを容器内に押し込むことによって一定量の液体を吐出するようにしたプッシュロッド式定量吐出容器に関する。
【０００２】
【従来の技術】
従来、容器底部の吐出口から突出したプッシュロッドを容器内に押し込むことによって容器内の液体を吐出するようにしたプッシュロッド式液体吐出容器は知られている。
【０００３】
【発明が解決しようとする課題】
従来から知られているプッシュロッド式液体吐出容器は、プッシュロッドを容器内に押し込んでいる間、容器内の液体が吐出口から流れ続ける形式のものであるため、吐出量は容器内の液体容量と押し込む時間に左右されて、一度の押し込みにより吐出する液体の量を正確に一定にすることができない課題があった。
そのため、例えば、プッシュロッドが押し込み位置から円滑に元の位置に戻らない場合には、意図しない多量の内容液が流出してしまうことになるのみならず、押し込みながら吐出した液体の量を正確に計測又は認識するのが、面倒で困難な課題があった。
【０００４】
【課題を解決するための手段】
そこで本発明は、底部に吐出口を有する容器本体の内部に吐出口側の定量室とその上方の液溜室とを区画するシャッターリングを設けると共に、容器本体の底部の前記吐出口に、上下動自在に嵌合し吐出口の下方に突出するプッシュロッドに連動して上下動する開閉部材を設けると共に、前記シャッターリングに、前記プッシュロッド及び開閉部材に連動して上下動自在に嵌合し前記開閉部材が吐出口を開口する上方開口位置と吐出口を閉鎖する下方閉口位置の間で上下動するシャッター部材を設け、該シャッター部材に、前記開閉部材が吐出口を閉鎖する下方閉口位置で液溜室と定量室を連通しシャッターリングを開放して定量室に液溜室の内容液を充填すると共に、プッシュロッドにより開閉部材が上動し吐出口を開口する上方開口位置の手前の位置で液溜室と定量室を遮断してシャッターリングを閉鎖して定量室の定量を完了する連絡路を設けてなるプッシュロッド式定量吐出容器を提供しようとするものである。
【０００５】
【作用】
上記の本発明に係るプッシュロッド式定量吐出容器によれば、容器底部の吐出口を開閉部材が閉鎖するプッシュロッドの下方閉口位置において、容器本体の内部の吐出口側の定量室とその上方の液溜室とを区画するシャッターリングに上下動自在に嵌合するシャッター部材の連通路は、開放しており、容器底部側の定量室にはその上方の液溜部から液体が充填されることとなる。この状態で、容器底部の吐出口の下方に突出するプッシュロッドを押し上げると、吐出口に嵌合する開閉部材が連動して上動し、吐出口を開口する上方開口位置に到達したときには、上方開口位置の手前の位置でシャッター部材の連絡路は遮断されて液溜室から定量室への液の流入は阻止されており、定量室の定量は完了した状態にある。従って、開閉部材が上方開口位置で吐出口を開口すると、吐出口は定量室内で定量された液体を吐出することとなる。定量液の吐出後に、プッシュロッドを元の下方閉口位置に戻すときには、開閉部材が上方開口位置の下方で吐出口を閉鎖すると共に、シャッター部材の連通路は開放し、容器底部側の定量室にはその上方の液溜部から液体が充填され定量室の定量準備は完了することとなる。
【０００６】
【発明の実施の態様】
以下図示する実施例により本発明に係るプッシュロッド式定量吐出容器を詳細に説明すると、１は底部に吐出口２を有する容器本体で、その内部に、吐出口２側の定量室３とその上方の液溜室４とを区画するシャッターリング５を設けてある。前記吐出口２には、下方に突出したプッシュロッド７を一体に具備する開閉部材６が密封状態で上下動自在に嵌合して設けてあると共に、前記シャッターリング５には、前記プッシュロッド７及び開閉部材６に連動して上下動自在に嵌合するシャッター部材８が設けてある。
【０００７】
開閉部材６とシャッター部材８は、開閉部材６の上端部のストッパー部９が容器底部に当接する下方閉口位置と、開閉部材６の下端部が吐出口２から上方に外れて移動して吐出口２をプッシュロッド７の周囲で開口する上方開口位置との間で往復移動する構成を具備する。
シャッター部材８には、前記開閉部材６が吐出口２を閉鎖する下方閉口位置で前記液溜室４と定量室３を連通し定量室３に液溜室４の内容液Ａを充填すると共に、プッシュロッド７に連動して開閉部材６が上動し吐出口２を開口する上方開口位置の手前の位置で液溜室４と定量室３を遮断して定量室３の定量を完了する連絡路１０が設けてある。
【０００８】
実施例の場合、連絡路１０は、上方の液溜室４に開口する液溜開口路１１と下方の定量室３に開口する定量開口路１２とからなり、液溜開口路１１は常時液溜室４に開口しているのに対して、定量開口路１２は、前記開閉部材６が吐出口２に密封状態で嵌合している間は開口しているが、開閉部材６が上動して吐出口２の上方に移動して吐出口２が開口する上方開口位置の手前の位置でシャッターリング５に密封状態で嵌合して、前記上方開口位置の手前の位置では閉鎖して、定量室３は内容液Ａが定量充填された状態になるように構成してある。
【０００９】
また、シャッターリング５には、液溜室４と定量室３とを連通する空気孔１３が設けてあり、定量室３に液溜室４から内容液Ａを充填する際に、空気孔１３を通って定量室３の空気が液溜室４側に抜けるように構成してある。更にまた、シャッター部材８とシャッターリング５との間には、復帰バネ１４が設けてあり、プッシュロッド７に連動して開閉部材６及びシャッター部材８が上動し吐出口２を開口する上方開口位置でプッシュロッド７を放したとき、復帰バネ１４のバネ弾力により開閉部材６及びシャッター部材８が自動的に下降し、開閉部材６の上端部のストッパー部９が容器底部に当接する下方閉口位置に復帰するように構成してある。実施例の場合、コイルバネ等からなる復帰バネ１４は、シャッター部材８の周囲を巻く状態で設けてあり、その上端部はシャッターリング５の底面部１６に当接し、下端部はシャッター部材８にフランジ状に設けたバネ受部１５に当接している。また、シャッター部材８に、シャッターリング５に当接してシャッター部材８が上方開口位置で上動を阻止され停止するストッパーを設けることもできる。
【００１０】
上記の構成からなる本発明に係るプッシュロッド式定量吐出容器の作動態様を図２により説明すると、１の初期状態において、対象物１７に向かって容器本体１を押し下げ、プッシュロッド７を容器本体１内に上動して行くと、開閉部材６及びシャッター部材８はそれぞれ吐出孔２及びシャッターリング５に嵌合したまま連動する。２の上方開放位置の手前の位置において、それまで開口していたシャッター部材８の連絡路１０の定量開口路１２がシャッターリング５に嵌合して封鎖され、連絡路１０は遮断され、定量室３内に定量の内容液Ａが充填される。更に、３の上方開放位置において、吐出孔２から開閉部材６が上方に外れると、吐出孔２からプッシュロッド７の周囲を通って対象物１７に定量室３内の定量の内容液Ａが供給されることとなる。内容液Ａの吐出完了後、容器本体１を対象物から放すと、復帰バネ１４のバネ弾力により開閉部材６及びシャッター部材８が自動的に下降し、開閉部材６の上端部のストッパー部９が容器底部に当接する下方閉口位置に復帰すると、４の段階に記載のように、シャッター部材８の連絡路１０の定量開口路１２がシャッターリング５から下方に外れて開口し、連絡路１０は連通して、空気孔１３から定量室３内の空気を液溜室４に抜き取りながら液溜室４の内容液Ａを定量室３内に充填することとなり、充填が完了すると、１の初期状態に復帰する。
【００１１】
【発明の効果】
以上の通り、本発明に係るプッシュロッド式定量吐出容器によれば、底部に吐出口を有する容器本体の内部に吐出口側の定量室とその上方の液溜室とを区画するシャッターリングを設けると共に、容器本体の底部の前記吐出口に、上下動自在に嵌合し吐出口の下方に突出するプッシュロッドに連動して上下動する開閉部材を設けると共に、前記シャッターリングに、前記プッシュロッド及び開閉部材に連動して上下動自在に嵌合し前記開閉部材が吐出口を開口する上方開口位置と吐出口を閉鎖する下方閉口位置の間で上下動するシャッター部材を設け、該シャッター部材に、前記開閉部材が吐出口を閉鎖する下方閉口位置で液溜室と定量室を連通し定量室に液溜室の内容液を充填すると共に、プッシュロッドにより開閉部材が上動し吐出口を開口する上方開口位置の手前の位置で液溜室と定量室を遮断して定量室の定量を完了する連絡路を設けた構成を有することにより、容器底部の吐出口を開閉部材が閉鎖するプッシュロッドの下方閉口位置において、容器本体の内部の吐出口側の定量室とその上方の液溜室とを区画するシャッターリングに上下動自在に嵌合するシャッター部材の連通路は開放して、容器底部側の定量室には内容液が充填されているから、この初期状態で、容器底部の吐出口の下方に突出するプッシュロッドを押し上げて行き、吐出口に嵌合する開閉部材が連動して上動して、吐出口を開口する上方開口位置に到達したときには、上方開口位置の手前の位置でシャッター部材の連絡路は遮断されて液溜室から定量室への内容液の流入は阻止されており、定量室には定量の内容液が収納されている状態にあり、開閉部材が上方開口位置で吐出口を開口することにより、吐出口から定量室内で既に定量された内容液が吐出することとなるから、プッシュロッドを容器内に押し込むだけで、容器内の液体を吐出口から正確に一定量ずつ定量して吐出することができる効果がある。
【図面の簡単な説明】
【図１】本発明容器本体の一実施例を一部省略し縦断して示す概略縦断正面図。
【図２】図１の実施例の作動態様を順を追って示す概略説明図。
【符号の説明】
Ａ・・・内容液
１・・・容器本体
２・・・吐出口
３・・・定量室
４・・・液溜室
５・・・シャッターリング
６・・・開閉部材
７・・・プッシュロッド
８・・・シャッター部材
９・・・ストッパー部
１０・・連絡路
１１・・液溜開口路
１２・・定量開口路
１３・・空気孔
１４・・復帰バネ
１５・・バネ受部
１６・・底面部
１７・・対象物
【図１】
0003784950.tif 000002
【図２】
0003784950.tif 000003